(57)【要約】【課題】使い勝手が良い上、構成の簡易化を図った壁面移動装置を提供する。【解決手段】ガイド部材３は、中空状のパイプ１２と、吸着面側がパイプ１２と連通した複数の吸盤６、６・・とを備え、パイプ１２を介して空気を吸引することにより、吸盤６、６・・面内を負圧として壁面Ｗに吸着させ、ガイド部材３を壁面Ｗに対し固定可能とした。したがって、各吸盤６毎にモータ等を設置する必要がなく、製造コスト等を低コストに抑えることができる。加えて、ガイド部材３の固定にあたって、台車や支持機構といった大掛かりな装置を別途必要としないため、壁面移動装置のコンパクト化、組み立て作業の簡易化、汎用性の向上等といった効果を期待することができる。【選択図】図２
2007130697.tif 000002
【特許請求の範囲】
【請求項１】
壁面に対して固定される一対のガイド部材と、該ガイド部材に沿って昇降する昇降装置と、前記昇降装置間に架設され、昇降装置に同期して昇降可能なレール部材と、該レール部材に沿って前記ガイド部材間を移動可能な移動体とからなる壁面移動装置であって、
前記ガイド部材は、中空状のパイプと、吸着面側が前記パイプと連通した複数の吸盤とを備え、前記パイプを介して空気を吸引することにより、前記吸盤面内を負圧として壁面に吸着させ、前記ガイド部材を壁面に対し固定可能としたことを特徴とする壁面移動装置。
【請求項２】
ガイド部材を、複数の単位ガイド部材を継ぎ足してパイプ同士を連通させた状態で一体化することにより形成したことを特徴とする請求項１に記載の壁面移動装置。
【請求項３】
移動体を、レール部材に対して着脱自在としたことを特徴とする請求項１または２に記載の壁面移動装置。
【発明の詳細な説明】
【技術分野】
【０００１】
本発明は、壁面に沿って上下左右に移動自在な移動体を有し、該移動体にたとえば塗装ローラ等の作業装置を設置して利用する壁面移動装置に関するものである。
【背景技術】
【０００２】
従来より、たとえばビルやマンションといった建造物の壁面を塗装したり清掃したりする場合には、壁面に沿って上下左右に移動可能な移動体を備えた壁面移動装置が一般的に用いられている。このような壁面移動装置としては、たとえば特許文献１や特許文献２に開示されているようなものがある。
【０００３】
【特許文献１】特開２００３−０１４７１１号公報
【特許文献２】特開２００４−０８２２３５号公報
【０００４】
ここで、特許文献１や特許文献２に開示されているような従来の壁面移動装置について、図６を基に説明する。図６（ａ）は、従来の壁面移動装置５１の外観を示した説明図であり、図６（ｂ）は、壁面移動装置５１とは異なる従来の壁面移動装置６１の外観を示した説明図である。
【０００５】
まず、図６（ａ）を基に、壁面移動装置５１について説明する。
壁面移動装置５１は、台車５２上に、所定の間隔を空けて一対の支持部材５３、５３を略垂直に立設したものである。支持部材５３、５３には、該支持部材５３、５３に沿って上下方向へとスライド自在で、且つ、支持部材５３、５３間を左右方向へとスライド自在に移動体５４が設けられている。尚、移動体５４には、各種作業装置（特許文献１では壁面診断装置）が設置可能となっている。
このような壁面移動装置５１は、建造物５５の周囲にレール５６等を敷設して、該レール５６上に台車５２を移動可能に設置し、所望の位置にて移動体５４を移動させて用いる。
【０００６】
次に、図６（ｂ）を基に、壁面移動装置６１について説明する。
壁面移動装置６１は、建造物６５の壁面に沿って垂下される一対の支持部材６３、６３、該支持部材６３、６３を支持すべく建造物６５の屋上等に設置される支持機構６２、支持部材６３、６３間に設置され、支持部材６３、６３に沿って上下方向に移動可能な移動体６４等からなる。尚、各支持部材６３には、モータを有する吸盤（図示しない）が設けられている。また、移動体６４には、壁面に対し各種作業を行う作業装置が設置可能となっている。
このような壁面移動装置６１を使用するにあたっては、モータにより吸盤面内を負圧とし、吸盤を壁面に吸着させることによって、各支持部材６３を壁面に対して固定し、移動体６４を支持部材６３、６３に沿って移動させて使用する。
【発明の開示】
【発明が解決しようとする課題】
【０００７】
しかしながら、図６（ａ）に示すような壁面移動装置によれば、使用するにあたって、建造物の周囲に台車を設置するためのレールを敷設しなければならい上、壁面に対して支持部材を固定するために、壁面に固定機構等を別途設置しなければならないといったように、非常に煩わしい作業を要することになる。また、装置の大型化やコスト高といった問題もある。
一方、図６（ｂ）に示すような壁面移動装置によれば、建造物の屋上等といったように壁面の上方に支持機構を設置しなければならないことから、備え付けタイプとしては適しているものの、現場毎に運搬して使用する場合には使い勝手が悪い。また、吸盤によって支持部材を壁面に吸着させる構成ではあるものの、吸盤毎にモータを備えなければならない。したがって、メンテナンス等の作業が煩わしい上、装置全体の重量が増すことによる使用性の悪化、構成の複雑化に伴うコスト高等といった問題も生じる。
【０００８】
そこで、本発明は上記課題に鑑みなされたものであって、使い勝手が良い上、構成の簡易化を図った壁面移動装置を提供しようとするものである。
【課題を解決するための手段】
【０００９】
上記目的を達成するために、本発明のうち請求項１に記載の発明は、壁面に対して固定される一対のガイド部材と、該ガイド部材に沿って昇降する昇降装置と、前記昇降装置間に架設され、昇降装置に同期して昇降可能なレール部材と、該レール部材に沿って前記ガイド部材間を移動可能な移動体とからなる壁面移動装置であって、前記ガイド部材は、中空状のパイプと、吸着面側が前記パイプと連通した複数の吸盤とを備え、前記パイプを介して空気を吸引することにより、前記吸盤面内を負圧として壁面に吸着させ、前記ガイド部材を壁面に対し固定可能としたことを特徴とする。
請求項２に記載の発明は、請求項１の発明において、ガイド部材を、複数の単位ガイド部材を継ぎ足してパイプ同士を連通させた状態で一体化することにより形成したことを特徴とする。
請求項３に記載の発明は、請求項１または２の発明において、移動体を、レール部材に対して着脱自在としたことを特徴とする。
【発明の効果】
【００１０】
本発明によれば、ガイド部材において中空状のパイプと複数の吸盤の吸盤面とが連通した状態で設けられており、ポンプ等によってパイプから空気を吸引することにより、吸盤面内を負圧として壁面に吸着させ、ガイド部材を壁面に対し固定する構成としている。したがって、各吸盤毎にモータ等を設置する必要がなく、製造コスト等を低コストに抑えることができる。その上、各吸盤毎にモータ等を設置する従来のものと比較して、メンテナンスや取り扱い等も容易であるし、軽重量化も図ることが可能で、使い勝手が非常に良い。加えて、ガイド部材の固定にあたって、台車や支持機構といった大掛かりな装置を別途必要としないため、壁面移動装置のコンパクト化、組み立て作業の簡易化、汎用性の向上等といった効果を期待することができる。
また、請求項２の発明によれば、ガイド部材を、複数の単位ガイド部材を継ぎ足すことによって組み立て可能な構成としているため、現場の状況に応じてガイド部材の高さを適宜変更可能で、汎用性に富む。さらに、運搬時等には単位ガイド部材にまで分解しておけばよく、使い勝手を更に向上させることができる。
加えて、請求項３の発明によれば、移動体を、レール部材に対して着脱自在としているため、たとえば、現場の状況に応じ、各種作業装置が設置された種々の移動体を複数準備しておけば、レール部材に設置する移動体を取り替えるだけで壁面に対し様々な作業を行うことができる。つまり、ガイド部材やレール部材等を取り替えることなく種々の作業に対応可能で、且つ、移動体に設置されている作業装置を取り替えるといった煩わしい作業を行う必要もないため、現場における作業効率を極めて向上させることができる。
【発明を実施するための最良の形態】
【００１１】
以下、本発明の一実施形態となる壁面移動装置について図面を基に説明する。
【００１２】
図１は、壁面移動装置１の全体を示した説明図である。
壁面移動装置１は、所定の間隔離して略垂直に立設された一対のガイド部材３、３と、ガイド部材３、３に沿って上下方向にスライド自在な昇降装置７、７と、昇降装置７、７間に架設されたレール部材８と、レール部材８に沿って左右方向にスライド自在な移動体４とからなる。尚、各ガイド部材３は、複数の吸盤６、６・・を壁面Ｗに吸着させることによって壁面Ｗに対し固定されている。また、移動体４には、作業装置である塗装用ローラ５やカメラ（図示しない）が設置されている。
【００１３】
ここで、ガイド部材３及び昇降装置７について、図１及び２を基に説明する。図２は、ガイド部材３及び昇降装置７を上方から見た断面説明図である。尚、図２において、レール部材８は説明の便宜上省略している。
ガイド部材３は、長さ約３ｍ程度の断面Ｉ字状のガイドレール（たとえば、アルミ製）１１に複数（たとえば、３個）の吸盤６、６・・をジョイント１０を介して連結した単位ガイド部材を、必要に応じて複数継ぎ足してなるものである（尚、１つの単位ガイド部材で足りる場合には、１つの単位ガイド部材がガイド部材３となる）。単位ガイド部材において、吸盤６、６・・は中空状のパイプ１２によって連結されており、ポンプ（図示しない）等を用いてパイプ１２から空気を吸引することにより、吸盤６、６・・を同時に負圧として壁面Ｗに吸着可能としている。また、ガイドレール１１の前面側（図２においては下側）フランジの後面には、後述する昇降装置７のギア１５が噛合可能なラックギア１４が設けられている。尚、単位ガイド部材を継ぎ足す際に、ガイドレール１１（ラックギア１４も含めて）同士が一連に連結されるのは勿論のこと、パイプ１２同士も連通状態で連結される。
【００１４】
昇降装置７は、駆動モータ１６や該駆動モータ１６の動作により左右方向を軸として回転するギア１５、駆動モータ１６のトルクをギア１５へと伝達するウォームギア１８等を内蔵したものであって、ギア１５をガイドレール１１に設けられたラックギア１４に噛合させた状態で設置されている。したがって、駆動モータ１６を動作させてギア１５を回転させることにより、ラックギア１４（すなわち、ガイドレール１１）に沿って昇降することができる。尚、１３は、昇降装置７の移動時のガタつき等を防止し、よりスムーズに昇降させるための車輪であり、ガイドレール１１に当接した状態で設けられている。該車輪１３、１３・・のガイドレール１１に対する当接状態は、ねじ送りを利用した調節機構１９によって調節可能となっている。また、１７は、駆動モータ１６の動作等を制御するための制御基板であり、地上等に設置される統括コンピュータ（図示しない）により制御可能となっている。
【００１５】
次に、移動体４及びレール部材８について、図１、３及び４を基に説明する。図３は、移動体４及びレール部材８を左側から見た断面説明図である。また、図４は、移動体４内部を正面側から見た説明図である。尚、移動体４に設置される塗装用ローラ５等の作業装置は説明の便宜上省略している。
レール部材８は、一対の凹レール３１、３１を相反する方向へと向けた状態で連結してなるものであって、壁面移動装置１の組み立て時には、凹レール３１、３１が上下に開口する状態で昇降装置７、７間に架設される。一方、移動体４は、モータ２１と、該モータ２１の動作等を制御する制御基板２７とを内蔵しているとともに、モータ２１の動作により前後方向（図３において左右方向）を軸として回転する駆動車輪２５、２５、モータのトルクを駆動車輪２５、２５へと伝える下プーリ２２、ベルト２３、及び上プーリ２４、２４等を備えたものである。また、移動体４の移動に伴い回転する補助輪２６、２６も設置されている。尚、制御基板２７は、昇降装置７の制御基板１７同様、統括コンピュータにより制御可能となっている。また、移動体４の背面側には、上下方向に長い長孔２８、２８が穿設されており、移動体４のケーシング高さを調整可能、すなわち、レール部材８の凹レール３１、３１間の間隔に合わせて駆動車輪２５と補助輪２６との間隔を調整可能となっている。
【００１６】
そして、移動体４は、駆動車輪２５を上方へと開口した凹レール３１に、補助輪２６を下方へと開口した凹レール３１にそれぞれ係合させた状態でレール部材８に設置される。そして、該状態でモータ２１を駆動させることにより駆動車輪２５が回転し、レール部材８に沿って左右方向（図３においては紙面の表裏方向）へとスライドすることができる。
【００１７】
このような移動体４には、たとえば図５（ａ）及び（ｂ）に示すような塗装用ローラ５やカメラといった作業装置を設置することができる。尚、設置する作業装置としては、塗装用ローラ５やカメラに限られることなく、洗浄装置や壁面検査装置、シーリング装置等の各種作業装置が考えられる。
そして、移動体４に作業装置を設置する際には、作業装置を構成する構成要素の一部を移動体４内に収納することができる。たとえば、本実施例では、塗装用ローラ５に供給されるペンキ等の塗装剤を貯留するタンク、該タンクから塗装用ローラ５へと塗装剤を供給するポンプ等が移動体４内に収納されている。また、塗装する際に、ローラ部を壁面押圧方向へと押し付け可能となっており、該押し付け動作に係る動作機構等も移動体４内に収納可能となっている。さらに、移動体４にはカメラが搭載されており、該カメラにより壁面Ｗの撮像データ（壁面Ｗの状態や壁面Ｗに対する移動体４の位置等）を取得可能としているとともに、取得した撮像データを、制御コンピュータ２７等を介して統括コンピュータのモニターにて視認可能としている。
【００１８】
以上のように構成される壁面移動装置１は、ガイド部材３と、塗装用ローラ５を設置された移動体４と、昇降装置７と、レール部材８とに分解された状態で各現場まで運搬され、現場において以下に記載するような手順で組み立てられる。
まず、必要な高さとなるまで単位ガイド部材を継ぎ足してガイド部材３、３を組み立て、それぞれ吸盤６、６・・を壁面Ｗに押し付ける方向へと向けた状態で壁面Ｗに立て掛ける。この際、状況に応じては、ガイド部材３、３を建造物の屋上等からワイヤで吊して引き上げながら、単位ガイド部材を順次継ぎ足すようにしてもよい。そして、ガイド部材３、３が組み立てられると、ポンプ等により各パイプ１２から空気を吸引して、吸盤６、６・・を壁面Ｗに対して吸着させ、ガイド部材３、３を壁面Ｗに対し固定する。尚、ガイド部材３、３同士の間隔は、レール部材８の左右方向長さに応じて所定の間隔だけ離しておく。また、パイプ１２からの空気の吸引は、壁面移動装置１が使用されている間（撤去するまで）、常時行うものとする。
【００１９】
次に、各ガイド部材３に昇降装置７を設置する。昇降装置７は、上述したように、ガイド部材３に設けられているラックギア１４に昇降装置７のギア１５を噛合させて設置する。さらに、昇降装置７、７間にレール部材８を架設し、ボルト等にて固定するとともに、該レール部材８の凹レール３１、３１に駆動車輪２５及び補助輪２６を係合させるようにして移動体４を設置する。
このようにして組み立てられる壁面移動装置１では、統括コンピュータから制御コンピュータ１７、２７等へと指令を送信し、昇降装置７、７を上下方向へと移動させるとともに、移動体４をレール部材８に沿って左右方向へと移動させることによって、移動体４を所望の位置へと移動させる。そして、所望位置にて塗装用ローラ５等の作業装置を動作させ、壁面Ｗの塗装といった作業を行う。
【００２０】
以上のように構成される壁面移動装置１によれば、ガイド部材３において吸盤６、６・・が中空状のパイプ１２により連結されており、ポンプ等によってパイプ１２から空気を吸引することで、吸盤６、６・・を負圧とし、壁面Ｗに吸着させるような構成となっている。したがって、各吸盤６毎にモータ等を設置する必要がなく、製造コスト等を低コストに抑えることができる。その上、各吸盤６毎にモータ等を設置する従来のものと比較して、メンテナンスや取り扱い等も容易であるし、軽重量化も図ることが可能で、使い勝手が非常に良い。加えて、ガイド部材３の固定にあたって、台車や支持機構といった大掛かりな装置を別途必要としないため、壁面移動装置１のコンパクト化、組み立て作業の簡易化、汎用性の向上等といった効果を期待することができる。
【００２１】
また、ガイド部材３を、単位ガイド部材を複数継ぎ足して組み立てる構成としているため、現場の状況に応じてガイド部材３の高さを適宜変更可能で、汎用性に富む。さらに、運搬時等には単位ガイド部材にまで分解しておけばよく、使い勝手も良い。加えて、アルミ等の軽金属製とすることで軽量化を図ることができ、更に取り扱いの良いものとなる。
さらに、昇降装置７は、ガイド部材３に当接する車輪１３、１３・・を有しているため、ラックギア１４とギア１５との噛合によりガイド部材３に沿って昇降する際に、ガタつき等が生じにくい。したがって、ラックギア１４とギア１５との噛合状態に異常が生じ、ガイド部材３の中途位置にて昇降装置７が移動不能となるといった事態が発生しない。
【００２２】
さらにまた、移動体４に塗装用ローラ５といった作業装置を別途設置可能としているとともに、現場にて移動体４をレール部材８に取付可能な構成としているため、現場の状況に応じ、各種作業装置が設置された種々の移動体を複数準備しておけば、レール部材８に設置する移動体４を取り替えるだけで壁面Ｗに対し様々な作業を行うことができる。つまり、ガイド部材３やレール部材８等を取り替えることなく種々の作業に対応可能で、且つ、移動体４に設置されている作業装置を取り替えるといった煩わしい作業を行う必要もないため、現場における作業効率を極めて向上させることができる。
またさらに、移動体４にカメラを設置しているため、地上等に設置されるモニターにて壁面Ｗの状態や、壁面Ｗに対する移動体４の位置等を視認することができる。したがって、作業装置による塗装や洗浄、検査といった作業を必要とする箇所が何処であるのか等を確認可能で、作業が必要な箇所に対して確実に作業を行うことができる上、必要な箇所に対してのみ作業を行うようにすれば、作業時間等を短縮することができる。
【００２３】
また、昇降装置７に車輪１３、１３・・の状態を調節可能な調節機構１９が設けられている。したがって、ガイド部材３（ガイドレール１１）の形状や作業装置の設置された移動体４重量等に応じ、車輪１３、１３・・とガイドレール１１との当接状態を適宜容易に調節可能であり、更なる使い勝手・汎用性の向上を期待することができる。
加えて、移動体４のケーシング高さ、すなわち、移動体４における駆動車輪２５と補助輪２６との間隔を容易に調整可能としているため、移動体４とレール部材８との寸法等に極めて高い精巧さが求められることもなく、製造コストを抑えることが可能である。また移動体４やレール部材８のいずれか一方が破損した場合等に、両者共に交換する必要はなく、破損した側のみを取り替えれば再び利用可能となるため、極めて汎用性に富む。
【００２４】
なお、本発明の壁面移動装置に係る構成は、上記実施形態の態様に何ら限定されるものではなく、ガイド部材、移動体、吸盤、昇降装置、及びレール部材等の構成を、本発明の趣旨を逸脱しない範囲で、必要に応じて適宜変更することができる。
【００２５】
たとえば、上記実施の形態では、ガイド部材のガイドレールをアルミ製としているが、他の金属により製造しても何ら問題はなく、強度等が十分であれば合成樹脂製であっても何ら問題はない。また、単位ガイド部材の長さや、単位ガイド部材に設けられる吸盤の数等も適宜変更可能である。
【００２６】
また、上記実施の形態の如く、昇降装置に駆動モータ等を備えるのではなく、外部にワイヤ等を有する駆動装置を別途設け、該駆動装置により昇降装置をガイド部材に沿って移動させる構成としてもよい。さらに、上記実施の形態では、移動体側に駆動装置を設けているが、レール部材側に駆動装置（モータやチェーン等を備えてなる）を設け、移動体をレール部材の動作によって左右に移動させるような構成としても何ら問題はない。加えて、レール部材として「く」字状や「Ｌ」字状のものを用いれば、たとえば建造物の角部等を塗装したい際にも対応可能とすることができる。
【００２７】
さらに、移動体に作業装置のみを設置するのではなく、壁面を覆うようなシートの一端を取り付けてもよい。このように移動体にシートを取り付けることによって、壁面を洗浄する際に洗浄液の飛散を防止したり、塗装後の壁面の養生を同時に行うことができるといった効果を期待することができる。尚、移動体にシートを取り付ける際、他端を地面等に固定してもよい。
【図面の簡単な説明】
【００２８】
【図１】壁面移動装置の全体を示した説明図である。
【図２】ガイド部材及び昇降装置を上方から見た断面説明図である。
【図３】移動体及びレール部材を左側から見た断面説明図である。
【図４】移動体内部を正面側から見た説明図である。
【図５】（ａ）は、移動体及びレール部材を左側から見た説明図であり、（ｂ）は移動体及びレール部材を正面から見た説明図である。
【図６】（ａ）は、従来の壁面移動装置の一例を示した説明図であり、（ｂ）は、従来の壁面移動装置の別例を示した説明図である。
【符号の説明】
【００２９】
１・・壁面移動装置、３・・ガイド部材、４・・移動体、５・・塗装用ローラ、６・・吸盤、７・・昇降装置、８・・レール部材、１０・・ジョイント、１１・・ガイドレール、１２・・パイプ、１３・・車輪、１４・・ラックギア、１５・・ギア、１６・・駆動モータ、１７・・制御コンピュータ、２１・・モータ、２２・・下プーリ、２３・・ベルト、２４・・上プーリ、２５・・駆動車輪、２６・・補助輪、２７・・制御コンピュータ、３１・・凹レール。
【図１】
2007130697.tif 000003
【図２】
2007130697.tif 000004
【図３】
2007130697.tif 000005
【図４】
2007130697.tif 000006
【図５】
2007130697.tif 000007
【図６】
2007130697.tif 000008